(57)【要約】【課題】入力された目標設定情報が示す成形条件を判定する。【解決手段】成形条件判定方法は、縦軸を溶湯充填圧力とし、横軸をダイカストマシンの射出装置の射出速度の二乗値として、前記ダイカストマシンの鋳造能力に基づくマシン特性線、及び前記ダイカストマシンに取り付けられる金型の金型特性線が描画されたＰ−Ｖ２線図を作成し、前記Ｐ−Ｖ２線図上に前記金型の充填抵抗、前記射出装置の加速抵抗及び該射出装置の可動部分の重量に基づき算出された加速度に基づく加速度情報を付加し、前記加速度情報に基づいて、前記ダイカストマシンに入力された目標設定情報が示す成形条件を判定し、判定結果に応じて前記成形条件に関する判定結果情報を出力する。【選択図】図３
2019155426.tif 000002
【特許請求の範囲】
【請求項１】
縦軸を溶湯充填圧力とし、横軸をダイカストマシンの射出装置の射出速度の二乗値として、前記ダイカストマシンの鋳造能力に基づくマシン特性線、及び前記ダイカストマシンに取り付けられる金型の金型特性線が描画されたＰ−Ｖ２線図を作成し、
前記Ｐ−Ｖ２線図上に前記金型の充填抵抗、前記射出装置の加速抵抗及び該射出装置の可動部分の重量に基づき算出された加速度に基づく加速度情報を付加し、
前記加速度情報に基づいて、前記ダイカストマシンに入力された目標設定情報が示す成形条件を判定し、
判定結果に応じて前記成形条件に関する判定結果情報を出力する
ことを特徴とする成形条件判定方法。
【請求項２】
前記加速度情報は、
前記Ｐ−Ｖ２線図上に、前記金型特性線を平行移動させたシフト金型特性線である
ことを特徴とする請求項１記載の成形条件判定方法。
【請求項３】
前記加速度情報は、
前記Ｐ−Ｖ２線図上に、前記金型特性線の上側に描かれた実鋳造加速度モデルを表す充填圧曲線である
ことを特徴とする請求項１記載の成形条件判定方法。
【請求項４】
前記目標設定情報は、前記射出装置の目標射出速度を含み、
前記判定結果情報は、前記成形条件を満たす適正設定情報を含み、
前記適正設定情報は、前記目標射出速度に達する実鋳造射出速度の高速充填区間の距離及び時間の少なくとも一つを含む
ことを特徴とする請求項１〜３のいずれか１項記載の成形条件判定方法。
【請求項５】
前記適正設定情報に基づいて、前記ダイカストマシンの鋳造能力及び前記金型の金型条件を変更した場合の成形条件を決定し提示する
ことを特徴とする請求項４記載の成形条件判定方法。
【請求項６】
縦軸を溶湯充填圧力とし、横軸をダイカストマシンの射出装置の射出速度の二乗値として、前記ダイカストマシンの鋳造能力に基づくマシン特性線、及び前記ダイカストマシンに取り付けられる金型の金型特性線を算出して、記憶手段の作業領域上にＰ−Ｖ２線図を作成する作図手段と、
前記Ｐ−Ｖ２線図上に前記金型の充填抵抗、前記射出装置の加速抵抗及び該射出装置の可動部分の重量に基づき算出された加速度に基づく加速度情報を付加する付加手段と、
前記加速度情報に基づいて、前記ダイカストマシンに入力された目標設定情報が示す成形条件を判定する判定手段と、
判定結果に応じて前記成形条件に関する判定結果情報を出力する出力手段とを備えた
ことを特徴とする成形条件判定装置。
【請求項７】
前記付加手段は、前記Ｐ−Ｖ２線図上に、前記加速度情報として、前記金型特性線を平行移動させたシフト金型特性線を付加する
ことを特徴とする請求項６記載の成形条件判定装置。
【請求項８】
前記付加手段は、前記Ｐ−Ｖ２線図上に、前記加速度情報として、前記金型特性線の上側に描かれた実鋳造加速度モデルを表す充填圧曲線を付加する
ことを特徴とする請求項６記載の成形条件判定装置。
【請求項９】
前記目標設定情報は、前記射出装置の目標射出速度を含み、
前記判定結果情報は、前記成形条件を満たす適正設定情報を含み、
前記適正設定情報は、前記目標射出速度に達する実鋳造射出速度の高速充填区間の距離及び時間の少なくとも一つを含む
ことを特徴とする請求項６〜８のいずれか１項記載の成形条件判定装置。
【請求項１０】
前記適正設定情報に基づいて、前記ダイカストマシンの鋳造能力及び前記金型の金型条件を変更した場合の成形条件を決定し提示する成形条件提示手段を備えた
ことを特徴とする請求項９記載の成形条件判定装置。
【請求項１１】
コンピュータに、
ダイカストマシンの鋳造能力に関する情報及び前記ダイカストマシンに取り付けられる金型の金型条件に関する情報を入力する入力手順と、
縦軸を溶湯充填圧力とし、横軸をダイカストマシンの射出装置の射出速度の二乗値として、前記鋳造能力に基づくマシン特性線、及び前記金型条件に基づく金型特性線が描画されたＰ−Ｖ２線図を作成する作成手順と、
前記Ｐ−Ｖ２線図上に前記金型の充填抵抗、前記射出装置の加速抵抗及び該射出装置の可動部分の重量に基づき算出された加速度に基づく加速度情報を付加する付加手順と、
前記加速度情報に基づいて、前記ダイカストマシンに入力された目標設定情報が示す成形条件を判定する判定手順と、
判定結果に応じて前記成形条件に関する判定結果情報を出力する出力手順とを実行させるための成形条件判定プログラム。
【発明の詳細な説明】
【技術分野】
【０００１】
この発明は、ダイカストマシンの成形条件判定方法、成形条件判定装置及び成形条件判定プログラムに関するものである。
【背景技術】
【０００２】
金型が取り付けられたダイカストマシンによってアルミニウム製品を鋳造する場合、マシンの鋳造能力、金型の金型条件及び溶湯の条件等の成形条件（鋳造条件）を検討し、ダイカストマシンに設定する必要がある。いわゆるＰ−Ｑ２線図は、この成形条件に従って鋳造されるアルミニウム製品の品質判定に多用されている。
【０００３】
Ｐ−Ｑ２線図は、例えば特許文献１に示すように、縦軸を溶湯充填圧力（Ｐ：メタル圧）とし、横軸を溶湯流量の二乗値（Ｑ２）とした２次元座標平面上に、マシン特性線と、金型特性線とを描画させたものである。マシン特性線は、使用するダイカストマシンの鋳造能力を示す直線であり、Ｐ＝Ｐ０×（１−Ｑ２／Ｑ０２）で表される。ここで、Ｐ０＝ＰＡＣＣ×ＡＣ／ＡＳ、Ｑ０＝ＶＳ０×ＡＳであり、ＰＡＣＣはアキュムレータ圧力（射出用アキュムレータ）、ＶＳ０は空打ち時射出速度、ＡＣは射出シリンダ断面積（ヘッド側）、ＡＳはスリーブ断面積である。また、金型特性線は、金型特有の特性線であり、Ｐ＝Ｂ×Ｑ２で表される。ここで、Ｂ＝Ｄｍ／（２×Ａｇ２×Ｃｇ２）であり、Ｄｍは溶湯密度、Ａｇはゲート断面積、Ｃｇは流量係数である（特許文献１の段落［０００９］を参照）。また、Ｑは、金型のゲートに送り込まれる溶湯流量である。
【０００４】
このようなＰ−Ｑ２線図において、マシン特性線と金型特性線との交点は「プロセスポイント」と呼ばれている。プロセスポイン卜の横軸座標値は、実鋳造時の溶湯流量（推定値）の二乗値であり、縦軸座標値は、実鋳造時の溶湯充填圧力である。
【先行技術文献】
【特許文献】
【０００５】
【特許文献１】特許第５２３８２４７号公報
【発明の概要】
【発明が解決しようとする課題】
【０００６】
しかしながら、従来、ダイカストマシンのユーザやオペレータは、新しい金型（製品）の成形条件を検討する試験鋳造のための設定射出速度、目標速度到達時間及び目標時間到達距離を含む目標設定情報を設定する場合や、鋳造製品の品質や良品率の向上等を目的として従来の成形条件を変更する場合などにおいて、その成形条件の実現可能性などを判断するのが非常に難しいという問題があった。特に、Ｐ−Ｑ２線図を用いた従来の判断手法においては、ダイカストマシンの加速中の溶湯充填圧力は考慮されていないため、成形条件の判定が実鋳造の実体にそぐわないということがあった。
【０００７】
本発明は、上述した問題点に鑑みてなされたもので、金型が取り付けられたダイカストマシンに入力された目標設定情報が示す成形条件を判定することができる成形条件判定方法、成形条件判定装置及び成形条件判定プログラムを提供することを目的とする。
【課題を解決するための手段】
【０００８】
本発明に係る成形条件判定方法は、縦軸を溶湯充填圧力とし、横軸をダイカストマシンの射出装置の射出速度の二乗値として、前記ダイカストマシンの鋳造能力に基づくマシン特性線、及び前記ダイカストマシンに取り付けられる金型の金型特性線が描画されたＰ−Ｖ２線図を作成し、前記Ｐ−Ｖ２線図上に前記金型の充填抵抗、前記射出装置の加速抵抗及び該射出装置の可動部分の重量に基づき算出された加速度に基づく加速度情報を付加し、前記加速度情報に基づいて、前記ダイカストマシンに入力された目標設定情報が示す成形条件を判定し、判定結果に応じて前記成形条件に関する判定結果情報を出力することを特徴とする。
【０００９】
本発明の一実施形態においては、前記加速度情報は、前記Ｐ−Ｖ２線図上に、前記金型特性線を平行移動させたシフト金型特性線である。
【００１０】
本発明の他の実施形態においては、前記加速度情報は、前記Ｐ−Ｖ２線図上に、前記金型特性線の上側に描かれた実鋳造加速度モデルを表す充填圧曲線である。
【００１１】
本発明の更に他の実施形態においては、前記目標設定情報は、前記射出装置の目標射出速度を含み、前記判定結果情報は、前記成形条件を満たす適正設定情報を含み、前記適正設定情報は、前記目標射出速度に達する実鋳造射出速度の高速充填区間の距離及び時間の少なくとも一つを含む。
【００１２】
本発明の更に他の実施形態においては、前記適正設定情報に基づいて、前記ダイカストマシンの鋳造能力及び前記金型の金型条件を変更した場合の成形条件を決定し提示する。
【００１３】
本発明に係る成形条件判定装置は、縦軸を溶湯充填圧力とし、横軸をダイカストマシンの射出装置の射出速度の二乗値として、前記ダイカストマシンの鋳造能力に基づくマシン特性線、及び前記ダイカストマシンに取り付けられる金型の金型特性線を算出して、記憶手段の作業領域上にＰ−Ｖ２線図を作成する作図手段と、前記Ｐ−Ｖ２線図上に前記金型の充填抵抗、前記射出装置の加速抵抗及び該射出装置の可動部分の重量に基づき算出された加速度に基づく加速度情報を付加する付加手段と、前記加速度情報に基づいて、前記ダイカストマシンに入力された目標設定情報が示す成形条件を判定する判定手段と、判定結果に応じて前記成形条件に関する判定結果情報を出力する出力手段とを備えたことを特徴とする。
【００１４】
本発明に係る成形条件判定プログラムは、コンピュータに、ダイカストマシンの鋳造能力に関する情報及び前記ダイカストマシンに取り付けられる金型の金型条件に関する情報を入力する入力手順と、縦軸を溶湯充填圧力とし、横軸をダイカストマシンの射出装置の射出速度の二乗値として、前記鋳造能力に基づくマシン特性線、及び前記金型条件に基づく金型特性線が描画されたＰ−Ｖ２線図を作成する作成手順と、前記Ｐ−Ｖ２線図上に前記金型の充填抵抗、前記射出装置の加速抵抗及び該射出装置の可動部分の重量に基づき算出された加速度に基づく加速度情報を付加する付加手順と、前記加速度情報に基づいて、前記ダイカストマシンに入力された目標設定情報が示す成形条件を判定する判定手順と、判定結果に応じて前記成形条件に関する判定結果情報を出力する出力手順とを実行させる。
【発明の効果】
【００１５】
本発明によれば、ダイカストマシンに入力された目標設定情報が示す成形条件を判定することができる。
【図面の簡単な説明】
【００１６】
【図１】ダイカストマシンの全体構成を概略的に示す部分断面側面図である。
【図２】ダイカストマシンの射出充填工程におけるプランジャチップの位置、溶湯の状態、射出速度、射出圧力の関係を概略的に示す説明図及び波形図である。
【図３】本発明の一実施形態に係る成形条件判定方法に用いられるＰ−Ｖ２線図である。
【図４】同実施形態における速度・圧力と時間との関係を示すグラフである。
【図５】同実施形態における速度とプランジャチップの移動距離との関係を示すグラフである。
【図６】同成形条件判定方法に用いられる目標マシン特性線を説明するためのＰ−Ｖ２線図である。
【図７】同成形条件判定方法による成形条件判定処理手順を示すフローチャートである。
【発明を実施するための形態】
【００１７】
以下、添付の図面を参照して、本発明の実施形態に係る成形条件判定方法、成形条件判定装置及び成形条件判定プログラムを詳細に説明する。ただし、以下の実施形態は、各請求項に係る発明を限定するものではなく、また、実施形態の中で説明されている特徴の組み合わせの全てが発明の解決手段に必須であるとは限らない。
【００１８】
図１は、油圧式の射出シリンダを備えた横型のダイカストマシンの概略構成を示している。図１に示すように、横型のダイカストマシン１は、金型装置２と、射出装置３と、操作盤２０と、制御盤２１とを備えて構成されている。金型装置２は、対向する一対の固定プラテン４と可動プラテン５との間に取り付けられた固定金型６と可動金型７とを備える。両金型６，７の間には、製品形状を含む金型キャビティ（空洞部）８が形成される。
【００１９】
金型キャビティ８は、両金型６，７がそれぞれ取り付けられた両プラテン４，５を、図示しない型開閉手段により型閉じすることで形成される。固定プラテン４は、アルミニウム等の溶湯が注湯される筒状のスリーブ９を備えている。スリーブ９は、固定プラテン４の固定金型６側から射出装置３側に貫通し突出するように配置されている。このスリーブ９の内部空間は、固定金型６を貫通して金型キャビティ８内に連通する。
【００２０】
一方、射出装置３は、金型装置２に対して往復運動するピストン１４と、装置本体１５とを有する油圧式の射出シリンダ１０を備える。ピストン１４は、図１の右端側にピストンヘッドを備え、左端側は、射出カップリング１３によってプランジャロッド１２と連結されている。
【００２１】
プランジャロッド１２の左端側には、プランジャチップ１１が取り付けられており、このプランジャチップ１１は、スリーブ９の突出端側からスリーブ９内に嵌合されている。射出装置３は、射出シリンダ１０のピストン１４を金型装置２に向かって前進させることにより、スリーブ９内に注湯された溶湯を金型キャビティ８内に射出充填させる。
【００２２】
操作盤２０は、ダイカストマシン１を操作するために設けられている。制御盤２１には、ダイカストマシン１を制御するための各種制御機器や電子機器等が収納されている。操作盤２０及び制御盤２１には、各種成形条件等の入力及び設定を行うためのタッチパネルを含む入力装置（図示せず）、並びに入力情報、成形条件の判定結果及びダイカストマシン１の運転状況に関する情報、警報・警告メッセージ等の報知に関する情報等を表示する表示装置２０ａ，２１ａが配置されている。
【００２３】
射出シリンダ１０においては、図示しない油圧供給源から圧油をヘッド室１６に供給することで、ピストン１４を前進させる。金型キャビティ８内に射出充填した溶湯を凝固させた後に、型開閉手段によって可動金型７を固定金型６から型開きさせる。そして、図示しない製品取出手段等で、例えば可動金型７側に保持させたアルミニウム製品を金型装置２外へ搬送させる。これにより、アルミニウム製品がダイカスト鋳造により成形される。
【００２４】
ダイカスト鋳造方法では、スリーブ９内に注湯（供給）された溶湯を、金型キャビティ８内に満たすまでの射出速度、その後の射出圧力、更に射出充填工程から増圧工程への切替タイミングを如何に好適に設定できるかが、良品を鋳造するためには極めて重要である。
【００２５】
次に、アルミニウム製品の鋳造方法における射出充填工程の射出速度と、増圧工程の射出圧力との関係を、図２を用いて説明する。速度制御による射出充填工程が開始される前の注湯工程において、注湯装置（図示せず）により溶湯がスリーブ９上面に設けられた開口部９ａからスリーブ９内に注湯されて、射出開始状態となる。この時のプランジャチップ１１の先端位置はＡの位置である。
【００２６】
この状態から、まず低速射出工程（ＳＬ）が行われる。この低速射出工程では、プランジャチップ１１を安定した低速（ＶＬ）で前進させる制御が要求される。なぜなら、この状態でプランジャチップ１１を高速で前進させたり、速度変動を伴うような不安定な状態で前進させたりすると、スリーブ９の内部において溶湯を波立たせて、溶湯内に空気が巻き込まれ、巣等の製品不良の要因となるためである。
【００２７】
溶湯がスリーブ９内を満たし、更に、溶湯の湯面がゲートＧ（金型キャビティ８内への溶湯流入口）近傍まで上昇するＢの位置までプランジャチップ１１を前進させると、図示しない射出ストロークセンサ等によりこれが検出されて、低速射出工程から高速射出工程に切り替えが行われる。
【００２８】
高速射出工程（Ｓｈ）では、プランジャチップ１１の前進速度を一気に加速させ、高速（Ｖｈ）で金型キャビティ８内に溶湯を射出充填させる。これは、溶湯に対して温度が低い金型キャビティ８の表面に溶湯が接触すると急速に溶湯の凝固が進行するためであり、良品を鋳造するためには、できるだけ短時間で金型キャビティ８内への溶湯の射出充填を完了させることが望ましいからである。特に、アルミニウム製品が大型の場合、複雑な形状の場合、或いは薄くて軽い場合等には、高速射出工程においてより高速での射出充填が求められる。
【００２９】
その後、金型キャビティ８内が溶湯で完全に満たされる直前になると、金型キャビティ８内の各部位に充填された溶湯の冷却凝固の進行に伴い、溶湯の流動性が低下し、金型キャビティ８内への溶湯の充填抵抗が急激に上昇する。このため、射出シリンダ１０のヘッド室１６の圧力である充填圧力（射出圧力）が急激に上昇し、これに呼応するように射出速度が急速に低下する。そして、プランジャチップ１１がＣの位置に達し、金型キャビティ８内が溶湯で完全に満たされると、次の圧力制御による増圧工程（Ｓｐ）に切り替えられる。
【００３０】
ここで、上記の射出充填工程では、高速射出工程（Ｓｈ）における射出速度が重要である。高速射出工程（Ｓｈ）が開始されるのは、溶湯の湯面がゲートＧ近傍まで上昇するＢの位置である。一般的に、スリーブ９の内径のスリーブ断面積に対して、ゲートＧ通過時の溶湯の流動方向に直交するゲート断面積は小さくなるように設計されている。
【００３１】
従って、スリーブ９から金型キャビティ８内に充填される溶湯は、ゲートＧ通過時に流動断面積が減少し、流動が絞り込まれるため、充填抵抗（流動抵抗）が急増する。このため、ダイカストマシン１の射出装置３には、高速射出工程（Ｓｈ）における高速充填区間において、スリーブ９内の溶湯を、ゲートＧを通過する際の充填抵抗に打ち勝って、なお且つ所望する目標射出速度（Ｖｈ）で、金型キャビティ８内に充填させる鋳造能力が要求される。
【００３２】
なお、ゲートＧを通過する際の溶湯の充填抵抗は、ゲート断面積に反比例し、ゲートＧを通過する溶湯の流量（単位時間当たりの流動容積、以下、「溶湯流量」と称する。）に比例する。また、このようなゲートＧは、ゲート断面積も含め、形状等、金型設計の要素であるため、金型（アルミニウム製品）毎に異なる。
【００３３】
このため、様々な種類の金型が取り付けられる前提のダイカストマシンにおいて、このような、金型のゲートに起因する充填抵抗を加味した鋳造能力を、ダイカストマシン単体の仕様として提示することは困難である。そこで、ダイカストマシンでは、溶湯の充填抵抗を考慮していない、いわゆる空打ち等で再現可能な最大射出速度を、仕様上の最大射出速度として提示すると共に、ダイカストマシンの操作盤等で設定する設定射出速度を、溶湯の充填抵抗を考慮していない、空打ち等で再現可能な射出速度とすることが一般的である。
【００３４】
例えば、所定のダイカストマシンに所定の金型を取り付け、アルミニウム製品を鋳造する場合の事前推定による品質判定に、実鋳造時の溶湯充填圧力（射出装置のプランジャチップを介して溶湯に付与させる圧力、メタル圧）の値や、溶湯流量の二乗値が必要になり、これらの値を活用したいわゆるＰ−Ｑ２線図が多く使用されている。
【００３５】
このＰ−Ｑ２線図は、縦軸を溶湯充填圧力（Ｐ：メタル圧）とし、横軸を溶湯流量の二乗値（Ｑ２）とした２次元座標平面上に、マシン特性線と、金型特性線とを描画させたものである。マシン特性線は、使用するダイカストマシンの鋳造能力を示す直線であり、Ｐ＝Ｐ０×（１−Ｑ２／Ｑ０２）で表される。ここで、Ｐ０＝ＰＡＣＣ×ＡＣ／ＡＳ、Ｑ０＝ＶＳ０×ＡＳであり、ＰＡＣＣはアキュムレータ圧力（射出用アキュムレータ）、ＶＳ０は空打ち時射出速度、ＡＣは射出シリンダ断面積（ヘッド側）、ＡＳはスリーブ断面積である。また、金型特性線は、金型特有の特性線であり、Ｐ＝Ｂ×Ｑ２で表される。ここで、Ｂ＝Ｄｍ／（２×Ａｇ２×Ｃｇ２）であり、Ｄｍは溶湯密度、Ａｇはゲート断面積、Ｃｇは流量係数である（特許文献１の段落［０００９］を参照）。また、Ｑは、金型のゲートに送り込まれる溶湯流量である。
【００３６】
なお、上記のマシン特性線の説明は、ダイカストマシン１に当てはめた場合、圧油を射出シリンダ１０のヘッド室１６に供給させ、射出シリンダ１０のロッド室１７から圧油を排出させて、ピストン１４を前進させる構造の射出シリンダを前提としている。従って、例えばロッド室１７から排出させた圧油を、そのままヘッド室１６に供給させる圧油と合流させて、ピストン１４の前進速度を増速させる、いわゆる差動回路（ランアラウンド回路）を構成する射出シリンダを前提としたものではない。差動回路の場合、ロッド室１７にもヘッド室１６とほぼ同じ背圧が生じるため、Ｐ０＝ＰＡＣＣ×（ＡＣ−ＡＲ）／ＡＳ（ＡＲ：射出シリンダのロッド側断面積）となる。このようなＰ−Ｑ２線図において、マシン特性線と金型特性線との交点は「プロセスポイント」と呼ばれている。プロセスポイン卜の横軸座標値は、実鋳造時の溶湯流量（推定値）の二乗値であり、縦軸座標値は、実鋳造時の溶湯充填圧力である。
【００３７】
プロセスポイントの横軸座標値は、実鋳造時の金型のゲートに起因する充填抵抗を加味した、実際にゲートを通過する溶湯の溶湯流量であり、縦軸座標値は、この溶湯流量に対応する溶湯充填圧力（メタル圧）の推定値である。ゲートＧを通過する際の溶湯の充填抵抗は、ゲート断面積に反比例し、ゲートＧを通過する溶湯流量に比例することを先に説明したが、Ｐ−Ｑ２線図におけるマシン特性線は、ダイカストマシンのスリーブから押し出す溶湯の溶湯流量が多い程、溶湯充填圧力（メタル圧）が低下することを、ダイカストマシンの鋳造能力に基づいて示したものであり、その溶湯流量を二乗値とすることにより、対応する溶湯充填圧力との関係を一次関数で示すことができる。
【００３８】
一方、Ｐ−Ｑ２線図における金型特性線は金型固有の特性線であり、金型のゲートに送り込まれる溶湯流量が多い程、ゲートを通過する際の溶湯の充填抵抗により、溶湯充填圧力が増加することを、金型をダイカストマシンに取り付けた状態で行う実鋳造時のデータ等に基づいて示したものである。例えば、金型のゲートに送り込まれる溶湯流量を仮にＱとすると、Ｑは、実鋳造時における射出装置３の実鋳造射出速度（プランジャチップ１１の前進速度）ＶＳとスリーブ断面積ＡＳとの積、すなわちＱ＝ＶＳ×ＡＳで表すことができる。そして、こちらも、その溶湯流量を二乗値とすることにより、対応する溶湯充填圧力との関係を一次関数で示すことができる。
【００３９】
なお、以下の説明では、Ｐ−Ｑ２線図に代えてＰ−Ｖ２線図を用いて説明するが、Ｐ−Ｑ２線図を用いることもできる。また、従来のＰ−Ｑ２線図を用いた成形条件判定方法では、加速中の状況についての検討がなされていなかったが、本実施形態では、高速射出工程（Ｓｈ）に切り替わった直後の加速中の状態を考慮した判定を行っている。
【００４０】
本発明の一実施形態に係る成形条件判定方法は、上述した横型のダイカストマシン１を使用するアルミニウム製品の鋳造方法を前提としている。本実施形態に係る成形条件判定方法に用いられるＰ−Ｖ２線図、マシン特性線Ｍ、金型特性線Ｄ、充填圧曲線ＰＣ、シフト金型特性線ＳＤ、及び目標マシン特性線ＴＭについて、ダイカストマシン１に備えられた成形条件判定装置において展開される図３のＰ−Ｖ２線図を参照しながら説明する。
【００４１】
図３に示すように、Ｐ−Ｖ２線図は、縦軸を溶湯充填圧力（メタル圧：ＭＰａ）とし、横軸をダイカストマシン１の射出装置３における射出速度（プランジャチップ１１の前進速度）の二乗値（（ｍ／ｓ）２）としたものである。従来から用いられているＰ−Ｑ２線図との相違点は、横軸を溶湯流量（Ｑ）の二乗値ではなく、射出速度の二乗値とした点である。
【００４２】
Ｐ−Ｖ２線図上に描画されたマシン特性線Ｍは、先に説明したＰ−Ｑ２線図のマシン特性線（Ｐ＝Ｐ０×（１−Ｑ２／Ｑ０２））中の溶湯流量Ｑ及びＱ０を、射出装置３のスリーブ９のスリーブ断面積ＡＳと射出速度との積に置換させたものである。すなわち、同関係式に、Ｑ＝ＶＳ×ＡＳ及びＱ０＝ＶＳ０×ＡＳを代入すると、マシン特性線Ｍは、Ｐ＝Ｐ０×（１−ＶＳ２／ＶＳ０２）と、射出速度の二乗値を含む一次関数となり、Ｐ−Ｖ２線図上に描画することができる。
【００４３】
なお、ＶＳは、実鋳造時における射出装置３の実鋳造射出速度であることは既に説明した通りである。この実鋳造射出速度ＶＳは、ダイカストマシン１に、固定金型６と可動金型７とを取り付けた状態で、設定射出速度としてＶＳ０を設定した状態において実鋳造を行うことにより得られる数値である。
【００４４】
また、ＶＳ０は、溶湯を使用しない空打ちを行うことにより得られる最高設定射出速度である。それ以外の数値（Ｐ０，ＡＣ，ＡＳ）は、ダイカストマシン１の仕様上の特性から得られる数値（固定値）であり、Ｐ−Ｖ２線図上にマシン特性線Ｍを描画することについては、特別な困難性は生じない。
【００４５】
一方、Ｐ−Ｖ２線図上に描画された金型特性線Ｄは、先に説明したＰ−Ｑ２線図の金型特性線の関係式（Ｐ＝Ｂ×Ｑ２）中の溶湯流量Ｑを、射出装置３のスリーブ９のスリーブ断面積ＡＳと射出速度との積に置換させたものである。すなわち、同関係式に、Ｑ＝ＶＳ×ＡＳを代入すると、金型特性線Ｄは、Ｐ＝Ｂ×ＶＳ２×ＡＳ２と、射出速度の二乗値を含む一次関数となり、Ｐ−Ｖ２線図上に描画することができる。
【００４６】
なお、Ｂ（Ｂ＝Ｄｍ／（２×Ａｇ２×Ｃｇ２））には、固定値ではないＤｍ（溶湯密度）及びＣｇ（流量係数）を含む。これら溶湯密度Ｄｍ及び流量係数Ｃｇは、射出充填工程における溶湯の凝固進行に伴って変化するが、その変化量は小さく、金型特性線Ｄの一次関数としての傾きに大きく影響を及ぼすものではない。
【００４７】
このため、これら溶湯密度Ｄｍ及び流量係数Ｃｇについては、射出充填工程における変化量の中間値や、経験上好適とされる値を固定値として適宜採用して金型特性線Ｄが描画されればよいので、Ｐ−Ｖ２線図上に金型特性線Ｄを描画することについては、特別な困難性は生じない。
【００４８】
マシン特性線Ｍは、ダイカストマシン１の鋳造能力を反映し、設定射出速度又は溶湯充填圧力を変えるとその傾きを変化させることができる。図示のマシン特性線Ｍは、例えば溶湯の充填抵抗を考慮していない状態（溶湯充填圧力Ｐ＝０）を、関係式Ｐ＝Ｐ０×（１−ＶＳ２／ＶＳ０２）に反映させた結果を示しており、実鋳造射出速度ＶＳ＝ＶＳ０の状態、すなわち、本実施形態においては空打ち等で再現可能な最高設定射出速度と実鋳造射出速度とが等しい、マシン特性線Ｍと横軸との交点（横軸切片値）ＶＳ０がダイカストマシン１の仕様上の最高設定射出速度の二乗値を示している。
【００４９】
Ｐ−Ｖ２線図上におけるマシン特性線Ｍ及び金型特性線Ｄの交点（プロセスポイント）ＰＰは、金型を実装した実鋳造時の設計上のダイカストマシン１の最高設定射出速度ＶＭを表し、このプロセスポイントＰＰにおいては、金型の充填抵抗とダイカストマシン１の充填圧力とが等しいため、射出装置３は加速することがない。このため、これ以上高速且つ短時間で射出充填を行うことはできない。
【００５０】
一方、ダイカスト成形においては、鋳造品の品質を確保するためには、射出工程における充填時間が極力短い方が良い。また、射出工程におけるプランジャチップ１１の移動距離は極力長い方が良い。この充填時間を短くする、又は移動距離を長くするためには、高速射出工程Ｓｈにおける目標射出速度Ｖｈを大きくする必要がある。ダイカスト鋳造では、前述したように、射出速度を低速→高速→低速と変えるが、ここで言う「充填時間」及び「移動距離」とは、低速から速度が上がり始めた時から、再び低速まで速度が落ちた時の時間の長さ（図４の高速射出工程Ｓｈの時間の長さＴｓｈ）及びプランジャチップ１１の移動距離（図５の高速射出工程Ｓｈの距離Ｌｓｈ）と定義される。よって、充填時間Ｔｓｈ及び移動距離Ｌｓｈは、高速射出工程Ｓｈにおける目標射出速度Ｖｈの大きさと、その目標射出速度Ｖｈに加速するまで、及び、低速に減速するまでの加速度ａの大きさによって決まる。言い換えると、充填時間Ｔｓｈを短くするためには、又は移動距離Ｌｓｈを長くするためには、（１）目標射出速度Ｖｈを大きくする、（２）加速（減速）の加速度ａを大きくする必要がある。
【００５１】
従って、ダイカスト成形において、成形条件を検討する際には、高速射出工程Ｓｈにおける加速度ａを考慮した上で、充填時間Ｔｓｈが目標とする時間よりも短いかどうか、又は移動距離Ｌｓｈが目標とする距離よりも長いかどうか、を確認する必要がある。しかし、成形条件の事前検討や現場での確認などで、加速度ａを考慮して充填時間が目標時間より短いかどうか、又は移動距離が目標距離よりも長いかどうかを検討したいと考えても、従来のＰ−Ｑ２線図（又はＰ−Ｖ２線図）を用いて検討するのは困難である。これを算出するためには、鋳造する物の重量（金型のゲート上のアルミの体積から算出）、可動部分の重量、チップの直径、高速区間の長さ、高速速度、射出装置の加速及び減速特性を調べて、運動方程式をつくり、シミュレーションする必要がある。
【００５２】
ダイカストマシンの射出装置の加速性能は、Ｐ−Ｖ２線図におけるマシン特性線Ｍと金型特性線Ｄに囲まれる領域の大きさから推定することができる。高速へ加速するときの加速度の大きさは金型特性線Ｄとマシン特性線Ｍとの間で示される充填力の余剰充填力（余剰パワー）Ｆを射出装置３の可動部の質量ｍで割ると、運動方程式から最大加速度ａが求められる。一般的にマシン特性線Ｍは右肩下がりの特性なので、実鋳射出速度Ｖｓが高くなると充填力の余裕は比例して小さくなるので、速度が大きくなるにつれ、いずれ加速度を維持できなくなる。
【００５３】
マシン特性線Ｍと金型特性線Ｄの交点のプロセスポイントＰＰは、この加速度がゼロになり、その金型の理論上の最大速度となる点を示している。特定の加速度を維持するための余剰充填力Ｆは、射出装置３のピストン１４やプランジャロッド１２等の質量ｍに求める加速度ａをかけると運動方程式（Ｆ＝ｍ・ａ）より計算できる。この余剰充填力Ｆを目標値Ｆｓとして、図３に示すように、金型特性線Ｄの上側に、金型特性線Ｄに対して平行に記載すると、その線が目標加速度ａを維持するために必要な充填力の線となる。この線を「シフト金型特性線ＳＤ」と呼ぶ。この「シフト金型特性線ＳＤ」は、本発明における「加速度情報」の一例である。シフト金型特性線ＳＤを金型特性線Ｄからどの位シフトさせることができるかどうかは、Ｐ−Ｖ２線図から容易に把握することができる。シフト金型特性線ＳＤがマシン特性線Ｍと交差するプロセスポイントＰＭが、その加速度ａを維持できる最大速度Ｖ２となる。このような作図をすることにより、金型ごとの最大加速度ａを容易に把握することができるようになる。そして、最大加速度ａと最大速度Ｖ２が求められたら、充填時間Ｔｓｈ又は移動距離Ｌｓｈが求められる。
【００５４】
次に実際の加速度による溶湯充填圧力の変化のシミュレーション結果について説明する。いま、射出装置３の速度が一定であるとき、すなわち加速度がゼロであるときは、溶湯充填圧力は金型特性線Ｄと重なるが、実際に射出装置３が高速射出工程において加速中であるときは、射出充填を加速するために加速力が必要となる。このため、加速度ａを加味した溶湯充填圧力が金型特性線Ｄを超えてその上側に現れることとなる。図４は、低速射出工程（ＳＬ）、高速射出工程（Ｓｈ）及び増圧工程（Ｓｐ）に至る射出速度Ｖと射出圧力（溶湯充填圧力）Ｐの時間変化を示すグラフである。高速射出工程（Ｓｈ）の初期の加速期間中においては、加速度の大きさに応じた溶湯充填圧力が発生している。この溶湯充填圧力は、図３に示すように、金型特性線Ｄの上側に曲線を描く。この曲線を「充填圧曲線ＰＣ」と呼ぶ。この「充填圧曲線ＰＣ」も、本発明における「加速度情報」の他の例である。
【００５５】
充填圧曲線ＰＣは、射出装置３の射出力をｆ１とした場合、金型特性線Ｄで示す金型の充填抵抗（ｆ２）、射出装置３の加速抵抗（加速力：Ｆ＝ｆ１−ｆ２）及び可動部分（例えば、ピストン１４、射出カップリング１３、プランジャロッド１２及びプランジャチップ１１等の鋳込部品）の重量（ｍ）に基づいて、運動方程式（Ｆ＝ｍ・ａ）により算出された必要な加速度（ａ）に基づく実鋳造加速度モデルを表している。充填圧曲線ＰＣは、金型特性線Ｄとシフト金型特性線ＳＤとの間に描かれる。
【００５６】
充填圧曲線ＰＣは、実鋳造においては、Ｐ−Ｖ２線図上のマシン特性線Ｍと金型特性線ＤのプロセスポイントＰＰにより表される金型の最高設定射出速度ＶＭよりも低い速度において、所定の加速度を維持しながら到達できる加速度最高速度が来ることを表している。すなわち、溶湯の充填抵抗を考慮していないダイカストマシン１の仕様上の設定射出速度に対して、金型のゲートＧに起因する溶湯の充填抵抗がある場合において、射出装置３の加速度を考慮した実鋳造射出速度の最高速度（最高実鋳造射出速度）がどの程度の速度であるか等を判定することができる。
【００５７】
これにより、ダイカストマシン１では、充填圧曲線ＰＣに基づいて、ダイカストマシン１に入力された目標設定情報（目標射出速度、目標射出時間等）が示す成形条件を、実鋳造に限りなく近い状態で判定することが可能となる。また、この判定結果に応じて、成形条件に関する判定結果情報を出力することも可能となる。
【００５８】
判定結果情報は、成形条件により左右される実際の高速射出工程における短時間充填の可否や、高い溶湯充填圧力を維持可能な最高実鋳造射出速度の算出等に用いられ得る。判定結果情報は、例えば成形条件を満たす適正設定情報（設定射出速度、設定射出時間等）を含み、適正設定情報は、例えば目標射出速度に達する実鋳造射出速度の高速射出工程における高速充填区間の距離及び時間の少なくとも一つを含んでいる。
【００５９】
シフト金型特性線ＳＤは、充填圧曲線ＰＣに基づいて、Ｐ−Ｖ２線図上に描画することもできる。この場合、シフト金型特性線ＳＤは、充填圧曲線ＰＣにより求められる必要加速力、すなわち、必要な加速度ａと射出装置３の可動部分の重量（ｍ）により算出された加速力（Ｆ）に応じて、金型特性線Ｄを縦軸に沿って平行移動させたものである。具体的には、充填圧曲線ＰＣの破線部分における最高溶湯充填圧力を表す点（縦軸切片値）ｂと、このときの射出速度Ｖ１と金型特性線Ｄとの交点（縦軸切片値）ｃとにより求まる加速力（Ｆ）をシフト量として、金型特性線Ｄを原点０を通らない状態で縦軸に沿って平行移動させる。なお、シフト量は、加速度が大きいほど大きくなる。
【００６０】
そして、このシフト金型特性線ＳＤとマシン特性線Ｍとの交点（プロセスポイント）ＰＭが、破線部分を含む充填圧曲線ＰＣにより表される目標とする加速度を維持することができる加速度最高速度（横軸切片値）Ｖ２を表している。従って、プロセスポイントＰＰで表される金型の最高設定射出速度よりも低い速度に、所定の加速度ａを維持しながら到達できる射出速度があることを容易に把握することができる。
【００６１】
なお、充填圧曲線ＰＣは、点ＰＭ近傍において、マシン特性線Ｍを超過するため、この射出装置３の能力を超える。このため、実際には、マシン特性線Ｍの下側に描かれた充填圧曲線ＰＣの破線部分に沿った加速度制御を行う必要がある。
【００６２】
実線で示す充填圧曲線ＰＣで加速度制御を行う場合には、図３に示すように、マシン特性線Ｍを上側にシフトさせた目標マシン特性線ＴＭに沿った能力の射出装置３を用いる必要がある。目標マシン特性線ＴＭは、充填圧曲線ＰＣの充填圧ピークポイントｄよりも上側に配置されるように、ダイカストマシン１の仕様上の特性から得られる各数値を、充填圧曲線ＰＣ、シフト金型特性線ＳＤ等に基づき演算して描画したものである。
【００６３】
この目標マシン特性線ＴＭは、シフト金型特性線ＳＤにより表される金型条件の金型が取り付けられた場合にも、余裕のある溶湯充填圧力を有することで、特に高速射出工程においても高い加速度による射出装置３の加速を持続させて鋳造を行うことが可能なダイカストマシン１の鋳造能力（出力特性）を示している。
【００６４】
従って、例えば図６に示すように、金型特性線Ｄ１とマシン特性線ＭとがＰ−Ｖ２線図上に描かれたダイカストマシン１において、金型を、充填圧ピークが高い金型特性線Ｄ２の特性を示すものに取り替えた場合に、充填圧曲線ＰＣを考慮することにより、その充填圧ピークポイントよりも上側に、十分余裕のある溶湯充填圧力を有する目標マシン特性線ＴＭを描くことで、高い加速度を維持して射出充填を行うことができるマシンの出力特性を容易に把握することができる。
【００６５】
これらシフト金型特性線ＳＤ及び目標マシン特性線ＴＭを、充填圧曲線ＰＣと共に描画したＰ−Ｖ２線図を作成すれば、所定の金型及びダイカストマシンが目標設定情報に応じた成形条件を満たすことができるか否かや、金型の金型条件或いはダイカストマシン１の出力特性などが適切であるか否かなどを、より詳細かつ広範囲に亘って容易に判定し判定結果情報を出力することが可能となる。
【００６６】
このように、Ｐ−Ｖ２線図上に、マシン特性線Ｍ、金型特性線Ｄ、及び充填圧曲線ＰＣを描画し、更にシフト金型特性線ＳＤや目標マシン特性線ＴＭを描画することにより、ダイカストマシン１の鋳造能力と金型の金型条件に基づいて、入力された目標設定情報が示す成形条件を実現することができるか否かを容易に判定することが可能となる。また、成形条件に応じた出力特性や金型条件、或いは成形条件を満たすために必要な出力特性や金型条件なども容易に判定することができる。
【００６７】
なお、先に説明したように、マシン特性線Ｍ、金型特性線Ｄ、充填圧曲線ＰＣ、シフト金型特性線ＳＤ、目標マシン特性線ＴＭをＰ−Ｖ２線図上に描画することには、特別の困難性はない。そこで、ダイカストマシン１の制御盤２１内に収められた制御装置（図示せず）の記憶部に入力されたマシン及び金型の仕様データや、試験鋳造により得られた実験データ等を活用して、この記憶部の作業領域上に、金型（アルミニウム製品）毎のマシン特性線Ｍ及び金型特性線ＤをＰ−Ｖ２線図上に描画したＰ−Ｖ２線図を作成して記憶させる。
【００６８】
記憶されたＰ−Ｖ２線図は、成形条件提示手段の一例であるダイカストマシン１の操作盤２０や制御盤２１の表示装置２０ａ，２１ａの表示画面（タッチパネル等）上に、必要に応じて表示するようにしてもよい。この場合、表示画面上に各種の情報を数値として表示させたり、点滅表示させたり、成形条件の判定に応じて予め記憶されているメッセージとして判定結果情報を表示させたりしてもよい。
【００６９】
このような表示装置２０ａ，２１ａにおける表示は、鋳造の現場において、例えば設定射出速度に対して、現状の射出装置３と金型での実鋳造射出速度はどのような速度か等をオペレータに容易に把握させることが可能となる。このように、本実施形態に係る成形条件判定方法を用いるダイカストマシン１では、ユーザやオペレータが上述したような各種の判定による結果を、現場において容易に把握することが可能となる。
【００７０】
また、本実施形態に係る成形条件判定方法によれば、入力された目標設定情報を用いて、ダイカストマシン１の射出装置３の加速度の大きさを算出することができるので、その加速度を考慮して、所定の距離や時間（特に、高速充填区間の距離や時間）でその目標射出速度に実鋳造射出速度が達することができるか否かを判定することができる。また、射出装置３の目標射出速度への到達時間と到達距離を算出して、成形条件に含まれる速度条件が実現できるか否かを判定することができる。
【００７１】
また、射出充填工程における射出充填の途中で、加速度が低下するか持続できるかを判定したり、速度条件からプランジャチップ１１が高速充填区間を横切るのに必要な時間の長さを計算して短時間充填の可否を判定したりすることもできる。なお、速度条件からは、高速充填区間を横切るのに必要な距離を計算して、目標設定情報に含まれる設定値と比較してその妥当性を判定することもできる。
【００７２】
そして、上述したように、成形条件に応じて、射出充填に必要な加速度を生み出す溶湯充填圧力の余裕を持たせた充填圧曲線ＰＣをＰ−Ｖ２線図上に描くことで、例えば金型を変えた場合でも同じ加速度が出せるマシンの出力特性を判定することができるので、これを用いればダイカストマシン１における射出装置３の大きさの可否をも判定することが可能となる。
【００７３】
図７に示すように、本発明の成形条件判定プログラムが実行された場合の成形条件判定処理は、例えば次のような手順で行われる。まず、オペレータ等が、コンピュータの入力手段を用いてダイカストマシン１の鋳造能力に関する情報及びダイカストマシン１に取り付けられる金型６，７の金型条件に関する情報を入力する（ステップＳ１００）。次に、コンピュータの作図手段が、記憶手段の作業領域にＰ−Ｖ２線図を作成し、これをコンピュータの表示装置に表示する（ステップＳ１１０）。続いて、コンピュータの付加手段が、Ｐ−Ｖ２線図上に金型６，７の充填抵抗、射出装置３の加速抵抗及び該射出装置３の可動部分の重量に基づき算出された加速度に基づく加速度情報（シフト金型特性線ＳＤ又は充填圧曲線ＰＣ）を付加する（ステップＳ１２０）。そして、この加速度情報に基づいて、コンピュータの判定手段が、ダイカストマシン１に入力された目標設定情報が示す成形条件の判定処理を行う（ステップＳ１３０）。
【００７４】
判定処理の後、成形条件に問題がないとの結果が出された場合（ステップＳ１４０のＹｅｓ）は、コンピュータの出力手段が判定結果情報を出力し（ステップＳ１６０）、本フローチャートによる処理を終了する。成形条件に問題があるとの結果が出された場合（ステップＳ１４０のＮｏ）は、コンピュータのナビゲーション手段によるナビゲーション処理が行われ（ステップＳ１５０）、その後、コンピュータの出力手段が判定結果情報を出力し（ステップＳ１６０）、処理を終了する。
【００７５】
ステップＳ１５０のナビゲーション処理は、例えば目標設定情報が成形条件を満たさないものであると判定された場合に、上述した表示装置２０ａ，２１ａの表示画面上に各種の情報を表示して、成形条件を満たすためにはどのような対応を採ればよいのか等をユーザやオペレータにナビゲートすることなどが挙げられる。
【００７６】
以上のように、本実施形態に係る成形条件判定方法、成形条件判定装置及び成形条件判定プログラムでは、ダイカストマシン１に入力された目標設定情報が示す成形条件を判定することにより、取り付けられた金型の金型条件やダイカストマシン１の鋳造能力が、成形条件を満たすものか、満たさない場合はどのような能力や条件が必要であるかを容易に把握することができる。
【００７７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【００７８】
例えば、上述した実施形態では、ダイカストマシン１の操作盤２０や制御盤２１の表示装置２０ａ，２１ａの表示装置に、Ｐ−Ｖ２線図又はＰ−Ｑ２線図が表示され得るものとして説明したが、これに限定されず、現場の管理責任者等が、現場管理用に使用するノートパソコンやタブレット端末の表示画面上に、ダイカストマシン１の制御盤２１から無線や有線によりＰ−Ｖ２線図又はＰ−Ｑ２線図のデータを送受信させて各種の情報を表示、入力或いは編集させるようにしてもよい。
【符号の説明】
【００７９】
１          ダイカストマシン
２          金型装置
３          射出装置
６          固定金型
７          可動金型
１０        射出シリンダ
２０        操作盤
２０ａ      表示装置
２１        制御盤
２１ａ      表示装置
Ｍ          マシン特性線
Ｄ          金型特性線
ＳＤ        シフト金型特性線
ＴＭ        目標マシン特性線
ＰＣ        充填圧曲線
【図１】
2019155426.tif 000003
【図２】
2019155426.tif 000004
【図３】
2019155426.tif 000005
【図４】
2019155426.tif 000006
【図５】
2019155426.tif 000007
【図６】
2019155426.tif 000008
【図７】
2019155426.tif 000009